(57)【要約】【課題】  本発明の目的は、複数のディスプレイが存在する場合の表示不能を抑制し、ディスプレイの不正利用を抑制する。【解決手段】  ＤＳサーバ１２３が、携帯端末１３１からの要求に応じて、ＤＳ１２１，１２２のリストを携帯端末１３１へ返信し、携帯端末１３１がリストに含まれた何れかのＤＳ１２１，１２２の何れかを選択した場合に、ＤＳサーバ１２３がそののＤＳ−ＩＤを受信し、そのＤＳ−ＩＤに対応するＤＳ１２１が、ライセンスを携帯端末１３１へ送信し、ＤＳ１２１が、ファイルサーバ１６１から受信されたライセンスと端末ＩＤを基にライセンスを確認し、その確認結果をファイルサーバ１６１へ送信し、ファイルサーバ１６１から受信されたファイルを、ＤＳ１２１の表示画面に表示する。【選択図】  図１
2005141602.tif 000002
【特許請求の範囲】
【請求項１】
端末から要求に応答して、ファイルサーバ内のファイルを表示可能なディスプレイシステムにおいて、
前記端末からの要求に応じて、当該ディスプレイシステムに含まれるディスプレイのリストを前記端末へ送信する手段と、
前記端末の識別情報と前記リストに含まれた何れかのディスプレイの識別情報を受信し、前記ディスプレイの識別情報に対応するディスプレイへの利用権限を規定したライセンスを前記端末へ送信する手段と、
前記ライセンスと前記端末の識別情報の対応情報を記憶装置に格納する手段と、
前記端末からの要求に応じて動作するファイルサーバからの要求に応じて、前記ファイルサーバから受信された前記ライセンスと前記端末の識別情報が、前記記憶装置内の前記対応情報に存在する場合に、その確認結果を前記ファイルサーバへ送信する手段と、
前記ファイルサーバから受信された前記ファイルを、表示画面に表示する手段とを備えることを特徴とするディスプレイシステム。
【請求項２】
前記ディスプレイシステムは、サーバと複数のディスプレイを備え、
前記サーバが、前記ディスプレイのリストを前記端末へ送信する手段と、前記ライセンスを前記端末へ送信する手段とを備えることを特徴とする請求項１に記載のディスプレイシステム。
【請求項３】
前記ライセンスは、前記ファイルの前記表示画面上の表示位置、表示領域、表示時間を規定した情報を含むことを特徴とする請求項１に記載のディスプレイシステム。
【請求項４】
前記端末から要求に応答して、ファイルサーバ内のファイルを表示可能なディスプレイステーションにおいて、
端末からの要求に応じて、当該ディスプレイステーションへの利用権限を規定したライセンスを前記端末へ送信する手段と、
前記ライセンスと前記端末から受信された前記端末の識別情報の対応情報を記憶装置に格納する手段と、
前記端末からの要求に応じて動作するファイルサーバからの要求に応じて、前記ファイルサーバから受信された前記ライセンスと前記端末の識別情報が、前記記憶装置内の前記対応情報に存在する場合に、その確認結果を前記ファイルサーバへ送信する手段と、
前記ファイルサーバから受信された前記ファイルを表示画面に表示する手段とを備えることを特徴とするディスプレイステーション。
【請求項５】
端末から要求に応答して、ファイルサーバ内のファイルをディスプレイへ転送し表示するリモートファイル表示方法において、
前記ディスプレイサーバが、前記端末からの要求に応答して前記ディスプレイサーバが管理するディスプレイのリストを、ネットワークを介して前記端末へ送信し、
前記端末が前記リストを受信した場合に、前記端末が、前記リストを前記端末の表示画面に表示し、前記リスト中のディスプレイへの選択を利用者から受け付け、選択された前記ディスプレイの識別情報と当該端末の識別情報を、ネットワークを介して前記ファイルサーバへ送信すると共に、前記ディスプレイの識別情報を前記端末の記憶装置に格納し、
前記ディスプレイサーバが前記ディスプレイの識別情報と前記端末の識別情報を受信した場合に、前記ディスプレイサーバが、前記ディスプレイの識別情報に基づいて前記ディスプレイを特定し、前記端末の識別情報を、ネットワークを介して特定された前記ディスプレイへ送信し、
前記ディスプレイが前記端末の識別情報を受信した場合に、前記ディスプレイが、当該ディスプレイへの利用権限を規定したライセンスを、ネットワークを介して前記ディスプレイサーバへ送信すると共に、前記ライセンスと前記端末の識別情報の対応情報を記憶装置に格納し、
前記ディスプレイサーバが前記ライセンスを受信した場合に、前記ライセンスを、ネットワークを介して前記端末へ送信し、
前記端末が前記ライセンスを受信した場合に、前記端末が前記ライセンスを前記端末の記憶装置に格納し、
前記端末が、接続要求を、ネットワークを介して前記ファイルサーバへ送信し、
前記ファイルサーバが前記接続要求を受信した場合に、前記ファイルサーバが、当該ファイルサーバ内のファイルの一覧を、ネットワークを介して前記端末へ送信し、
前記端末がファイルの一覧を受信した場合に、前記端末が、前記一覧を前記端末の表示画面に表示し、前記一覧中のファイルへの選択を利用者から受け付け、選択された前記ファイルの識別情報と前記端末の記憶装置内の前記ディスプレイの識別情報及び前記ライセンスと前記端末の識別情報を、ネットワークを介して前記ファイルサーバへ送信し、
前記ファイルサーバが前記ファイルの識別情報と前記ディスプレイの識別情報と前記ライセンスと前記端末の識別情報を受信した場合に、前記ディスプレイの識別情報に基づいて前記ディスプレイを特定し、前記ライセンスと前記端末の識別情報を、ネットワークを介して特定された前記ディスプレイへ送信し、
前記ディスプレイが前記ライセンスと前記端末の識別情報を受信した場合に、前記ディスプレイが、受信された前記ライセンスと前記端末の識別情報が前記記憶装置内の前記対応情報に存在するか否かを確認し、その確認結果を、ネットワークを介して前記ファイルサーバへ送信し、
前記ファイルサーバが前記確認結果を受信した場合に、前記ファイルサーバが、前記ファイルの識別情報に基づいて前記記憶装置からファイルを読み出し、前記ファイルを、ネットワークを介して前記ディスプレイへ送信し、
前記ディスプレイが前記ファイルを受信した場合に、前記ディスプレイが前記ファイルを表示画面に表示することを特徴とするリモートファイル表示方法。
【請求項６】
端末から要求に応答して、ファイルサーバ内のファイルをディスプレイへ転送し表示するリモートファイル表示方法において、
前記端末が、当該端末の識別情報を、ネットワークを介して前記ディスプレイへ送信し、
前記ディスプレイが前記端末の識別情報を受信した場合に、前記ディスプレイが、当該ディスプレイの識別情報と当該ディスプレイへの利用権限を規定したライセンスを、ネットワークを介して前記端末へ送信すると共に、前記ライセンスと前記端末の識別情報の対応情報を記憶装置に格納し、
前記端末が前記ライセンスを受信した場合に、前記端末が前記ライセンスを前記端末の記憶装置に格納し、
前記端末が、接続要求を、ネットワークを介して前記ファイルサーバへ送信し、
前記ファイルサーバが前記接続要求を受信した場合に、前記ファイルサーバが、当該ファイルサーバ内のファイルの一覧を、ネットワークを介して前記端末へ送信し、
前記端末がファイルの一覧を受信した場合に、前記端末が、前記一覧を前記端末の表示画面に表示し、前記一覧中のファイルへの選択を利用者から受け付け、選択された前記ファイルの識別情報と前記端末の記憶装置内の前記ディスプレイの識別情報及び前記ライセンスと前記端末の識別情報を、ネットワークを介して前記ファイルサーバへ送信し、
前記ファイルサーバが前記ファイルの識別情報と前記ディスプレイの識別情報と前記ライセンスと前記端末の識別情報を受信した場合に、前記ディスプレイの識別情報に基づいて前記ディスプレイを特定し、前記ライセンスと前記端末の識別情報を、ネットワークを介して特定された前記ディスプレイへ送信し、
前記ディスプレイが前記ライセンスと前記端末の識別情報を受信した場合に、前記ディスプレイが、受信された前記ライセンスと前記端末の識別情報が前記記憶装置内の前記対応情報に存在するか否かを確認し、その確認結果を、ネットワークを介して前記ファイルサーバへ送信し、
前記ファイルサーバが前記確認結果を受信した場合に、前記ファイルサーバが、前記ファイルの識別情報に基づいて前記記憶装置からファイルを読み出し、前記ファイルを、ネットワークを介して前記ディスプレイへ送信し、
前記ディスプレイが前記ファイルを受信した場合に、前記ディスプレイが前記ファイルを表示画面に表示することを特徴とするリモートファイル表示方法。
【請求項７】
端末から要求に応答して、ファイルサーバ内のファイルをディスプレイへ転送し表示するリモートファイル表示方法において、
前記ディスプレイサーバが、前記端末からの要求に応答して前記ディスプレイサーバが管理するディスプレイのリストを、ネットワークを介して前記端末へ送信し、
前記端末が前記リストを受信した場合に、前記端末が、前記リストを前記端末の表示画面に表示し、前記リスト中のディスプレイへの選択を利用者から受け付け、選択された前記ディスプレイの識別情報と当該端末の識別情報を、ネットワークを介して前記ファイルサーバへ送信すると共に、前記ディスプレイの識別情報を前記端末の記憶装置に格納し、
前記ディスプレイサーバが前記ディスプレイの識別情報と前記端末の識別情報を受信した場合に、前記ディスプレイサーバが、前記ディスプレイへの利用権限を規定したライセンスを、ネットワークを介して前記ディスプレイサーバへ送信すると共に、前記ライセンスと前記端末の識別情報の対応情報を記憶装置に格納し、
前記端末が前記ライセンスを受信した場合に、前記端末が前記ライセンスを前記端末の記憶装置に格納し、
前記端末が、接続要求を、ネットワークを介して前記ファイルサーバへ送信し、
前記ファイルサーバが前記接続要求を受信した場合に、前記ファイルサーバが、当該ファイルサーバ内のファイルの一覧を、ネットワークを介して前記端末へ送信し、
前記端末がファイルの一覧を受信した場合に、前記端末が、前記一覧を前記端末の表示画面に表示し、前記一覧中のファイルへの選択を利用者から受け付け、選択された前記ファイルの識別情報と前記端末の記憶装置内の前記ディスプレイの識別情報及び前記ライセンスと前記端末の識別情報を、ネットワークを介して前記ファイルサーバへ送信し、
前記ファイルサーバが前記ファイルの識別情報と前記ディスプレイの識別情報と前記ライセンスと前記端末の識別情報を受信した場合に、前記ディスプレイの識別情報に基づいて前記ディスプレイサーバを特定し、前記ライセンスと前記端末の識別情報を、ネットワークを介して特定された前記ディスプレイサーバへ送信し、
前記ディスプレイサーバが前記ライセンスと前記端末の識別情報を受信した場合に、前記ディスプレイサーバが、受信された前記ライセンスと前記端末の識別情報が前記記憶装置内の前記対応情報に存在するか否かを確認し、その確認結果を、ネットワークを介して前記ファイルサーバへ送信し、
前記ファイルサーバが前記確認結果を受信した場合に、前記ファイルサーバが、前記ファイルの識別情報に基づいて前記記憶装置からファイルを読み出し、前記ファイルを、ネットワークを介して前記ディスプレイサーバへ送信し、
前記ディスプレイサーバが前記ファイルを受信した場合に、前記ディスプレイサーバが、前記ディスプレイの識別情報に基づいて前記ディスプレイを特定し、前記ファイルを、ネットワークを介して特定されたディスプレイへ送信し、
前記ディスプレイが前記ファイルを受信した場合に、前記ディスプレイが、前記ファイルを表示画面に表示することを特徴とするリモートファイル表示方法。
【発明の詳細な説明】
【技術分野】
【０００１】
本発明は、遠隔地のコンピュータや記憶装置に格納されているファイルを読み出し、近接のディスプレイに表示するシステム及び方法に関する。
【背景技術】
【０００２】
従来は、ユーザが携帯機器を介して情報サーバにアクセス要求を行い、タイトルリストを受信して表示し、次に、ユーザが携帯機器を介してプロジェクタへ接続要求を行うと、プロジェクタは、プロジェクタを制御するためのプログラムを携帯機器へ送信し、ユーザがタイトルリストからプロジェクタに表示させたい文書を選択し、情報サーバから取得して、プロジェクタへ送信し、プログラムでプロジェクタを制御することにより、その文書をプロジェクタに表示させていた（特許文献１参照）。
【０００３】
【特許文献１】特開2002-244630号公報
【発明の開示】
【発明が解決しようとする課題】
【０００４】
従来の技術では、携帯機器を介して送受信を行っているため、携帯機器の機能、携帯機器周辺のネットワーク環境（回線速度等）による制限を受けるため、大容量のデータの送受信に長時間要するなどのユーザのとっての使い易さの面で課題がある。また、従来の技術では、複数のユーザが同時に同一のディスプレイを使用する場合については全く考慮されていない。さらに、従来の技術では、プロジェクタが複数存在する場合を考慮していないため、情報サーバからの文書を意図するプロジェクタに転送できない可能がある。また、従来の技術では、プロジェクタのアクセス権限については考慮されていないため、アクセス権限のない者がプロジェクタを使用する恐れもある。
【０００５】
本発明の目的は、ユーザの利便性を向上するシステムを提供することである。
【０００６】
本発明の目的は、複数のディスプレイが存在する場合の表示不良（表示できない等）を抑制するシステムを提供することである。
【０００７】
また、本発明の目的は、ディスプレイの不正利用を抑制するシステムを提供することである。
【課題を解決するための手段】
【０００８】
複数人の会議参加者が同時に見られる大画面とコンピュータとを一体化したディスプレイステーションを用意し、会議用の共用ディスプレイとする。携帯電話などの携帯端末を所持して会議出席者はこのディスプレイステーションの周りに集まって会議を行う。ディスプレイステーションは複数あり、各ディスプレイステーションはネットワークに接続されていて、各ディスプレイステーションを識別するための識別子が割り振られている。
【０００９】
ディスプレイステーションには通信機能と、通信機能を介して画面の利用を要求された場合に、画面の利用を許可するライセンスを発行・管理する機能と、ライセンスと表示データを受信した場合にはそのライセンスが正しいかどうかを確認する機能と、ライセンスが正しければ表示用データを画面に表示する機能を設ける。
【００１０】
携帯端末には、ディスプレイステーションの利用を要求する機能と、ディスプレイステーションからライセンスが発行された場合にはライセンスを記憶する機能と、リモート・コンピュータにリモートアクセスして表示データを選択し、選択したデータのディスプレイステーションへの送信を要求すると共にライセンスを送付する機能を設ける。
【００１１】
リモート・コンピュータには携帯端末からのディスプレイステーションへの送信要求に応じて表示データとライセンスをディスプレイステーションに送信する機能を設ける。
【００１２】
以上の機能により、携帯端末をリモコンのように使って、リモートにある資料をディスプレイステーションに表示することができるようになる。
【００１３】
ディスプレイステーションにライセンスの発行機能と管理機能、および、ライセンスを確認してから表示データを受信して表示する機能を設けることにより、表示要求の端末とデータ送信元の端末が異なる場合でも、データを表示することが可能となる。更に、送信先の指定を間違えた場合などのようにライセンスを持たない表示要求を拒否することができるようになるため、セキュリティが保障され、また、表示位置や大きさ、表示期限の制御もライセンスを使って管理できるようになる。ライセンスに暗号化技術を適用することにより、強固なセキュリティ機能を追加することも可能となる。
【００１４】
ノートＰＣやデータを持ち歩くことなく、携帯端末を持ち歩くだけで出張先でも円滑に会議を行うことができるようになるため、シェアドスペース、フリーロケーションなどの新しいオフィス環境に適した会議システムを提供することができる。
【発明の効果】
【００１５】
本発明によると、フェイルサーバからディスプレイサーバ又はディスプレイへファイルを送信するため、端末を高機能化する必要がなく、また、端末周辺のネットワーク環境を高度化する必要がない。
【００１６】
本発明によると、複数のディスプレイが存在する場合の表示不良を抑制でき、また、ディスプレイの不正利用を抑制できる。
【００１７】
本発明によると、リモートにある資料を近くにあるディスプレイに表示できるようなるため、ノートＰＣやデータを持ち歩くことなく、携帯端末を持ち歩くだけで出張先でも円滑に会議を行うことができるようになるという効果がある。また、シェアドスペース、フリーロケーションなどの新しいオフィス環境に適した会議システムを提供することができるという効果がある。更に、ディスプレイステーションがライセンスを発行する際に公開鍵を発行し、その鍵を用いてファイルを暗号化し、ディスプレイステーションが所有する複合鍵で複合することによって、より安全にファイルの送受信ができるようになるという効果もある。
【発明を実施するための最良の形態】
【００１８】
以下、本発明の実施例を図１により説明する。
【００１９】
図1は実施例を会議システムに摘要した場合の、システムの全体構成を示した図である。以下、会議システムを例に説明する。但し、本発明は、会議システムに限定されるものではなく、表示画面を複数の利用者で共有するものであればよい。
【００２０】
実施例のシステムは、イントラネットとインターネットの間に配置されたＦＷ／ＶＰＮゲートウェイ１０１と、インターネットと携帯網の間に配置された携帯ゲートウェイ１１１と、表示データを表示可能なディスプレイステーション（以下、「ＤＳ」という）１２１，１２２と、ディスプレイステーション１２１，１２２へ表示データを送信するディスプレイステーションサーバ（以下、「ＤＳサーバ」という）１２３と、ディスプレイステーション１２１，１２２と通信可能であって利用者が使用する携帯端末１３１（例えば、携帯電話、ＰＤＡやリモートコントローラ等）と、携帯端末１３１からの通信を受ける基地局と、ディスプレイステーション１２１，１２２と通信可能であって利用者が使用するパーソナルコンピュータ（以下、「ＰＣ」という）１３２と、インターネットからＦＷ／ＶＰＮゲートウェイ１０１を経由したイントラネットへのアクセス要求に対して利用者又は端末を認証する認証サーバ１５１と、イントラネットに接続され利用者のファイルを記憶するファイルサーバ１６１とを備える。ディスプレイステーション１２１，１２２は、ディスプレイステーションへの表示データの表示を許可するための表示ライセンスを発行し管理する表示ライセンス発行／管理部１４１と、受信された表示ライセンスの正当性をチェックするライセンスチェック部１４２を備える。携帯端末１３１は、表示ライセンスを記憶する表示ライセンス記憶部１４３を備える。ディスプレイステーション１２１，１２２及び携帯端末１３１は、表示装置、入力装置、記憶装置、通信装置、処理装置を備えるのが好ましい。ディスプレイステーション１２１，１２２の表示画面は、携帯端末１３１の表示画面よりも大きいのが好ましい。認証サーバ１５１及びファイルサーバ１６１は、処理装置、記憶装置を備えるのが好ましい。
【００２１】
会議システムの利用者は、携帯端末１３１（でもよい）を用いて、社外からインターネットを介して社内の認証サーバ１５１へアクセスし認証を受け、その後ＬＡＮを介してファイルサーバ１６１にアクセスする。
【００２２】
以下、利用者が携帯端末１３１を操作してファイルサーバ１６１に格納されているファイルをＤＳ１２１に表示する手順を簡単に説明する。
【００２３】
利用者は、所持している携帯端末１３１から携帯網を介してＤＳサーバ１２３に接続し、ＤＳの一覧から携帯端末の近くにあるＤＳ１２１を選択する。ＤＳ１２１、１２２は複数設置されているため、ＤＳサーバ１２３を設置しているが、例えばＩＰアドレスで接続する場合には、携帯端末１３１がＤＳ１２１のＩＰアドレスを記憶していれば、ＤＳサーバ１２３を介さずにＤＳ１２１に直接接続しても構わない。また、携帯端末１３１とＤＳ１２１とが共に赤外線などの近距離通信手段を有している場合には、ネットワークを介さずに近距離通信手段を使ってＤＳ１２１に直接通信しても良い。
【００２４】
携帯端末１３１が、何れかの通信手段を利用してＤＳ１２１と通信を確立したら、携帯端末１３１からＤＳ１２１に対して利用要求を送信する。ＤＳ１２１は、利用要求を受信したら、ライセンス発行／管理部１４１からライセンスを読み出し、携帯端末１３１へ返信する。携帯端末１３１は、ライセンスをライセンス記憶部１４３に記憶して、ＤＳ１２１との通信を終了する。ＤＳ１２１のライセンス発行／管理部１４１は、ライセンスの発行（発行日時等）と発行先（携帯端末１３１の識別情報や利用者の識別情報）を記憶する。次に、携帯端末１３１はファイルサーバ１６１に接続する。ファイルサーバ１６１は、記憶しているファイルを検索し、ファイルのリスト（ディレクトリ）を作成し、携帯端末１３１へ返信する。携帯端末１３１は、ファイルのリストを表示画面に表示し、利用者からリスト中のファイルの選択を受け付ける。携帯端末１３１は、ライセンス記憶部１４３からライセンスを読み出し、選択されたファイルの識別情報とライセンスをファイルサーバ１６１へ送信する。ファイルサーバ１６１は、ＤＳ１２１に対して、ファイルの識別情報を含むファイル送信要求と共にライセンスを送信する。ＤＳ１２１は、送付されたライセンスが正しいかどうかをライセンスチェック部１４２において確認し、正しければファイルサーバ１６１に対してファイルの送信を許可する。正しくなければ、ファイルサーバ１６１に対してファイルの送信を禁止する。携帯端末１３１は、ファイルサーバ１６１からファイルを受信して、表示画面に表示する。以上の手順で、携帯端末１３１を操作してファイルサーバ１６１に格納されているファイルをＤＳ１２１に表示することができる。
【００２５】
図２はＤＳのライセンス発行手順を記した図である。
【００２６】
まず、携帯端末１３１が、利用者からの入力に従って、ＤＳサーバ１２３に対して接続要求を送信する（ステップ２１２）。ＤＳサーバ１２３は接続要求を受け付ける（ステップ２４２）。ＤＳサーバ１２３はＤＳの設置場所やＩＰアドレス、使用の状況などを管理している。ここではＤＳ名とＤＳ−ＩＤの組をＤＳリストとしているが、ＤＳを特定できる情報であれば、ＤＳ−ＩＤは各ＤＳのＩＰアドレスでも良いし、ＤＳ名は必須ではない。また、ＤＳの電源投入時や終了時に、電源ＯＮ／ＯＦＦの状態をＤＳサーバ１２３に送信するようにし、電源ＯＮ／ＯＦＦの状態などをＤＳサーバ１２３が管理して、使用可能なＤＳのリストのみを作成しても良いし、ＤＳの設置場所もリストに含めても良い。ＤＳサーバ１２３は、作成したリストを記憶装置に記憶するのが好ましい。ＤＳサーバ１２３は接続要求を受け付けると、ＤＳリストを携帯端末１３１へ送信し(ステップ２４４)する。携帯端末１３１は、リストを表示画面に表示し、接続したいＤＳ選択を利用者から受け付ける（ステップ２１４）。携帯端末１３１は、利用のためのライセンス要求と、端末ＩＤと、利用したいＤＳ−ＩＤをＤＳサーバ１２３へ送信する(ステップ２１６)。ＤＳサーバ１２３は、ＤＳ−ＩＤからＤＳ１２１を特定し、端末ＩＤと共にライセンス発行要求を、ＤＳ−ＩＤに対応するＤＳ１２１に送信する(ステップ２４６)、ＤＳ１２１は、ライセンス情報と端末ＩＤを受信し、それらの対応テーブルを記憶装置に記憶する(ステップ２６２)。ＤＳ１２１は、ライセンスを発行し、ライセンスをＤＳサーバ１２３へ送信する（ステップ２６４）。ＤＳサーバ１２３は、ライセンスを携帯端末１３１に送信する(ステップ２４８)。携帯端末１３１は、ライセンスを受信し、ライセンスを記憶装置に記憶する(ステップ２１８)、接続を終了して(ステップ２２０)、処理を終了する(ステップ２２２)。
【００２７】
図1の説明で述べたように、ＤＳ１２１と携帯端末１３１とは近距離通信手段にて直接通信可能な場合は、ＤＳ１２１がＤＳサーバ１２３の処理（ステップ２４２、ステップ２４４、ステップ２４６、ステップ２４８）を行うのが好ましい。例えば、ＤＳ１２１と携帯端末１３１とが、ライセンスの受け渡しを直接行っても構わない。逆に、ＤＳサーバ１２３が、ＤＳ１２１の代わりにＤＳ１２１の処理の一部又は全部（ステップ２６２、ステップ２６４）を行ってもよい。ライセンスは、ＤＳ１２１に対して何らかの要求があったときに、その要求を受けるための判断に用いており、例えば、ライセンスの発行時に公開鍵を同封し、その公開鍵を使ってファイルを暗号化し、ＤＳ１２１が暗号化ファイルを受信後にＤＡ１２１が所有する複合鍵を用いて複合するといった使い方も考えられる。利用期限や利用回数期限、ＤＳへの表示位置や領域などの利用条件が設定できるようにしても良い。ライセンスが、ＤＳ１２１の表示位置、表示領域、表示時間を含むのが好ましい。これにより、複数の利用者が携帯端末１３１を利用して、共有のディスプレイステーション１２１にファイルを表示する場合に、ファイルの重ねて表示される等の弊害を抑制でき、ファイルの見易さを向上することができる。
【００２８】
ＤＳ１２１、１２２にライセンスを発行する機能を設け、携帯端末１３１にライセンスを記録する機能を設けることにより、ライセンスの有無によってＤＳへの表示を制御できるようになり、柔軟な経路での表示指示ができるようになる。また、ＤＳサーバ１２３に端末管理機能を設け、不正な端末からのアクセスを拒否することや、不正な表示を行った端末のリストを所有するようにして、次回からのアクセス要求を拒否する機能を設けることも可能である。ＤＳは公共の場で使用すると考えられるため、ＤＳサーバ１２３に端末のチェック機能を設けることで、公共の場に好ましくない表示を除去することができるようになる。
【００２９】
図３はリモートファイルの表示プロセスを示した図である。
【００３０】
携帯端末１３１からファイルサーバ１６１へと接続要求を送信する(ステップ３３１)。接続要求は、ログイン要求と、利用社名（利用者ＩＤ）と、パスワードを含むのが好ましいが、パスワードは必須ではない。ファイルサーバ１６１は、接続要求の受信後に(ステップ３６１)、認証サーバ１５１に接続し、認証処理を行う(ステップ３３２、３５０)。ここでは社内システムへのアクセスを想定しているため認証サーバ１５１を設置しているが、認証が必要なければ設置しなくても構わない。ファイルサーバ１６１は、認証(ステップ３６２) が成功した場合に、携帯端末１３１の利用者が利用可能なファイル一覧（ファイルリスト）を携帯端末１３１へ送信する(ステップ３６３)。尚、ファイルサーバ１６１は、ファイルのアクセス権限を管理しており、ログイン（接続要求）してきた利用者の利用者名を基に、その利用者が参照／編集可能なファイルを記憶装置から検索し、ファイル一覧を作成する。
【００３１】
携帯端末１３１は、ファイル一覧を表示画面に表示し、表示を希望するファイルの選択を利用者から受け付ける(ステップ３３３)。携帯端末１３１は、ファイルの送信要求をファイルサーバへ送信する（ステップ３３４）。ファイルの送信要求は、ファイル名（ファイルＩＤ）と、表示したいＤＳのＤＳ−ＩＤと、ライセンスと、端末ＩＤを含むのが好ましい。ファイルサーバ１６１は、端末ＩＤを元に、携帯端末１３１の利用権限を確認する（ステップ３６４）。ファイルサーバ１６１は、ＤＳ−ＩＤからＤＳを特定し、送信可能なファイルであれば、ＤＳ−ＩＤから特定されるＤＳへの接続要求を送信する（ステップ３６５）。ファイルサーバ１６１は、端末ＩＤとライセンスをＤＳ１２１へ送信し、ＤＳ１２１にライセンス確認を依頼する（ステップ３６６）。ファイルサーバ１６１は、ＤＳからのファイル送信許可（ステップ３６６）を待って、ファイルをＤＳ１２１へ送信する(ステップ３６７)。ＤＳ１２１は、接続要求を受付け（ステップ３２１）、送信されてきたライセンスを確認して送信許可をファイルサーバ１６１へ送信する（ステップ３２２）。ライセンスの確認は、利用者登録（ステップ２６２）で登録したライセンス情報と端末ＩＤの登録情報に、受信された端末ＩＤのレコードに、端末ＩＤと共に受信されたライセンス情報を存在するか否かによって行う。ＤＳ１２１は、ライセンス情報が存在する場合にファイル送信を許可し（ステップ３６６）、ライセンス情報が存在しない場合にファイル送信を拒否する。ＤＳ１２１は、ファイルを受信して（ステップ３２３）、表示画面に表示する（ステップ３２４）。ファイルサーバ１６１は、ファイル送信の完了後に携帯端末１３１に終了メッセージを送信して（ステップ３６８）、終了する（ステップ３６９）。携帯端末１３１は、終了メッセージを受信したら接続を終了する（ステップ３３５）。
【００３２】
ファイルサーバ１６１とＤＳ１２１の間の通信を、ＤＳサーバ１２３が中継してもよい。ＤＳサーバ１２３が、ＤＳ１２１の代わりにＤＳ１２１の処理の一部（ステップ３２１、ステップ３２２）を行ってもよい。ここではＤＳ１２１は、ファイルを受信して表示したが、表示はせずに、携帯端末１３１から新たに表示操作や削除操作を行うという使い方も考えられる。これらの操作は、操作の依頼とともにライセンスを送信することにより、ＤＳが操作依頼を確認して行うことができる。また、接続せずに、電子メールによるメッセージの送受信機能だけで実現することも可能である。この場合も、電子メールにライセンス情報を添付することで電子メールの信憑性を確認することができる。
【００３３】
このように、ライセンスの発行とファイルの受信および表示を分けて処理することにより、ファイルの格納場所に関係なくリモートのファイルをローカルなディスプレイに表示することが可能となる。
【００３４】
本実施例ではファイルサーバを使用した構成になっているが、ディレクトリサーバを設置してファイルを検索できるようにしたり、自席のＰＣにアクセスできるようにしたりすることも可能である。また、ファイルサーバ１６１を介さずに、携帯端末１３１が所有するデータを直接ＤＳ１２１に送信することも可能である。更に、Ｗｅｂサービス技術を用いて、携帯端末１３１からのサービス利用要求をＤＳ１２１が中継し、ファイルサーバ１６１のサービスを利用する構成にすることも可能である。
【００３５】
図４は利用のイメージを記した図である。携帯端末１３１の利用者は出張先であるオフィスAのＤＳ１２１の前で会議を行っている。携帯電話１３１を使用して自分のオフィス（オフィスB）にあるコンピュータ４０１に接続し、記憶装置４０２に格納されていたファイルを選択して、ＤＳ１２１の画面に表示している（ウィンドウ４１２）。リモートのコンピュータにアクセスするための機器は携帯端末である必要はなく、通信機能を備えた端末であればよい。図４では端末の一つにＰＣ１３２を用いて、オフィスＣのコンピュータ４０３にアクセスして記憶装置４０４に格納されている資料をＤＳ１２１の画面に表示している（ウィンドウ４１４）。
【産業上の利用可能性】
【００３６】
本発明は、出張先にて携帯端末から自社ファイルサーバにリモートアクセスして、ファイルサーバに記憶されているファイルを選択し、出張先にあるディスプレイに表示できることができる。
【図面の簡単な説明】
【００３７】
【図１】本発明の実施例のシステム構成図である。
【図２】ディスプレイステーションのライセンス発行手順を示した図である。
【図３】リモートファイルの表示プロセスを示した図である。
【図４】本発明の利用のイメージを示した図である。
【符号の説明】
【００３８】
１２１  ディスプレイステーション
１３１  携帯端末
１４１  表示ライセンス発行／管理部
１４２  ライセンスチェック部
１４３  ライセンス記憶部
１５１  認証サーバ
１６１  ファイルサーバ
【図１】
2005141602.tif 000003
【図２】
2005141602.tif 000004
【図３】
2005141602.tif 000005
【図４】
2005141602.tif 000006